(57)【特許請求の範囲】
【請求項１】
前後方向と、
前記前後方向と直交する幅方向と、
吸収材料を有する吸収体と、
前記吸収体の肌対向面側に位置する肌面シートと、を備え、
前記肌面シートは、凸部及び前記凸部よりも非肌対向面側に凹む凹部を有する吸収性物品であって、
前記吸収体は、前記吸収体の前記幅方向の中央において周囲の吸収体よりも非肌対向面側に凹む溝部を有し、
前記凸部及び前記凹部は、前記前後方向に延び、かつ前記溝部と重なる領域に配置されており、
前記溝部は、前記前後方向に延び、かつ前記吸収体の前端縁から前記吸収体の後端縁まで連続的に設けられており、
前記吸収体は、前記前後方向に延びる一対の第１折り線及び第２折り線を有し、
前記吸収体は、前記吸収体が折り畳まれた折り畳み状態において、
前記一対の第１折り線の間に位置し、前記吸収体の前記幅方向の中央を含む第１領域と、
前記第１折り線よりも前記幅方向の内側に位置する前記第２折り線と前記第１折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記一対の前記第２折り線は、前記幅方向に離間しており、
前記溝部は、前記第１領域、前記第２領域及び前記第３領域が重なった一対の重畳部の間に設けられ、
前記第３領域の外側縁は、前記第１折り線よりも前記幅方向の外側に配置されており、
前記折り畳み状態において、
前記第１領域の肌対向面と前記第２領域の非肌対向面とが接合された第１接合部と、
前記第２領域の肌対向面と前記第３領域の非肌対向面とが接合されていない第２非接合部と、を有し、
前記吸収体の非肌対向面側に位置する非肌面シートと、を備え、
前記第３領域と前記非肌面シートが接合された第３接合部と、
前記第３接合部よりも前記幅方向の内側かつ前記第１折り線よりも前記幅方向の外側に位置し、前記第３領域と前記非肌面シートが接合されていない第３非接合部と、を有し、
前記第１領域の外側縁から前記幅方向の内側に向かう領域において、前記第１領域と前記非肌面シートが接合されていない第４非接合部を有する、吸収性物品。
【請求項２】
前記凸部及び前記凹部は、前記溝部の前端縁から前記溝部の後端縁まで連続的に重なっている、請求項１に記載の吸収性物品。
【請求項３】
前記溝部の厚さ方向の長さは、前記凸部の前記厚さ方向の長さよりも長い、請求項１又は請求項２に記載の吸収性物品。
【請求項４】
前記凸部及び前記凹部は、前記吸収体の前端縁及び前記吸収体の後端縁を跨って前記前後方向に延びる、請求項１から請求項３のいずれかに記載の吸収性物品。
【請求項５】
前記重畳部の内側縁は、非肌対向面側に向かって延びる壁部を有し、
前記凸部及び前記凹部は、前記壁部を覆う領域に配置される、請求項１から請求項４のいずれか１項に記載の吸収性物品。
【発明の詳細な説明】
【技術分野】
【０００１】
本発明は、凸部及び凹部が設けられた肌面シートを有する吸収性物品に関する。
【背景技術】
【０００２】
凸部及び凹部が設けられた肌面シートを有する吸収性物品が提供されている。特許文献１の肌面シートの凸部及び凹部は、吸収体の肌対向面側を覆うように配置されている（例えば、特許文献１の図２及び図３参照）。
【先行技術文献】
【特許文献】
【０００３】
【特許文献１】特開２００９−１４８４４５号公報
【発明の概要】
【発明が解決しようとする課題】
【０００４】
このような吸収性物品が着用されると、着用者の体圧が吸収性物品に掛かり、肌対向面側から非肌対向面側に向かって吸収性物品が押圧される。肌対向面側から非肌対向面側に向かって吸収性物品が押圧されると、肌面シートの凸部及び凹部が潰れてしまうことがある。特に、肌面シートの幅方向の中央は、着用者の排泄口に対向するように配置され、体液が多く排出される。当該肌面シートの幅方向の中央において凸部及び凹部が潰れてしまうと、凸部及び凹部に沿って空気を前後方向に拡散し難くなり、通気性を向上させ難くなる。
【０００５】
本開示は、上述の課題に鑑みてなされたものであり、凸部及び凹部が設けられた肌面シートを有する吸収性物品において、通気性を向上させることを目的とする。
【課題を解決するための手段】
【０００６】
本開示に係る吸収性物品（使い捨ておむつ１０）は、前後方向（前後方向Ｌ）と、前記前後方向と直交する幅方向（幅方向Ｗ）と、吸収材料を有する吸収体（吸収体４０）と、前記吸収体の肌対向面側に位置する肌面シート（トップシート５０）と、を備え、前記肌面シートは、凸部（凸部５２）及び前記凸部よりも非肌対向面側に凹む凹部（凹部５１）を有する吸収性物品であって、前記吸収体は、前記吸収体の前記幅方向の中央において周囲の吸収体よりも非肌対向面側に凹む溝部(溝部４６)を有し、前記凸部及び前記凹部は、前記前後方向に延び、かつ前記溝部と重なる領域に配置されており、前記溝部は、前記前後方向に延び、かつ前記吸収体の前端縁から前記吸収体の後端縁まで連続的に設けられていることを要旨とする。
【発明の効果】
【０００７】
本開示によれば、凸部及び凹部が設けられた肌面シートを有する吸収性物品において、通気性を向上させることができる。
【図面の簡単な説明】
【０００８】
【図１】一実施形態における使い捨ておむつの平面図である。
【図２】図１に示したＡ−Ａ線に沿った使い捨ておむつの断面図である。
【図３】図２のＢ部分を模式的に示した拡大断面図である。
【図４】トップシート及び吸収体を模式的に示した斜視図である。
【図５】展開状態の吸収体の平面図である。
【図６】図５のＣ−Ｃ線に沿った吸収体の断面図である。
【図７】図２に示す断面におけるトップシート及び吸収体を模式的に示した図である。図７（ａ）は、着用前の状態を示しており、図７（ｂ）は、着用後の状態を示している。
【図８】図２に示す使い捨ておむつの着用状態を模式的に示した断面図である。
【図９】変形例１における使い捨ておむつの着用状態を模式的に示した断面図である。
【図１０】変形例２に係るトップシートを示す図である。図１０（ａ）は、斜視図であり、図１０（ｂ）は、伸長状態の断面図であり、図１０（ｃ）は、自然状態の断面図である。
【発明を実施するための形態】
【０００９】
本明細書及び添付図面の記載により、少なくとも以下の事項が明らかとなる。
【００１０】
前後方向と、
前記前後方向と直交する幅方向と、
吸収材料を有する吸収体と、
前記吸収体の肌対向面側に位置する肌面シートと、を備え、
前記肌面シートは、凸部及び前記凸部よりも非肌対向面側に凹む凹部を有する吸収性物品であって、
前記吸収体は、前記吸収体の前記幅方向の中央において周囲の吸収体よりも非肌対向面側に凹む溝部を有し、
前記凸部及び前記凹部は、前記前後方向に延び、かつ前記溝部と重なる領域に配置されており、
前記溝部は、前記前後方向に延び、かつ前記吸収体の前端縁から前記吸収体の後端縁まで連続的に設けられている、吸収性物品。
【００１１】
着用時に着用者の体圧が吸収性物品に掛かると、吸収性物品が肌対向面側から非肌対向面側に向かって押圧される。このとき、吸収体の幅方向の中央に位置する溝部が非肌対向面側に凹んでいるため、溝部と重なる領域の肌面シートは、溝部の周囲と重なる領域の肌面シートと比べて、体圧を受け難い。よって、溝部と重なる領域の表面シートに設けられた凸部及び凹部は、潰れ難く、その形状を維持し易くなる。肌面シートに設けられた前後方向に延びる凸部及び凹部によって、前後方向に空気を通過させ、通気性を向上できる。
【００１２】
溝部が吸収体の前端縁から吸収体の後端縁まで連続的に設けられ、かつ当該溝部と重なる領域に凸部及び凹部が配置されているため、吸収体の前端縁から後端縁まで連続的に延びる空間において凸部及び凹部の形状を維持し、当該凸部及び凹部による通気性の向上効果を発揮できる。
【００１３】
通気性が向上することにより、蒸れを抑制し、肌に触れる部分の湿りを低減し、装着感を向上できる。また、通気性を向上させることにより、蒸れによる肌トラブルを抑制できる。
【００１４】
かかる吸収性物品であって、
前記凸部及び前記凹部は、前記溝部の前端縁から前記溝部の後端縁まで連続的に重なっていることが望ましい。
【００１５】
このような吸収性物品によれば、凸部及び凹部が溝部の前端縁から溝部の後端縁まで連続的に重なっているため、吸収体の前端縁から後端縁まで連続的に延びる空間において凸部及び凹部に沿って連続的に空気を拡散できる。吸収体と着用者の間の空気を吸収体よりも前後方向外側に導き易くなる。吸収体が配置された領域における空気を吸収体よりも前後方向外側に導くことにより、通気性をより向上でき、吸収体によって吸収した体液による蒸れを効果的に低減できる。
【００１６】
かかる吸収性物品であって、
前記溝部の厚さ方向の長さは、前記凸部の前記厚さ方向の長さよりも長いことが望ましい。
【００１７】
このような吸収性物品によれば、溝部の厚さ方向の長さが凸部の厚さ方向の長さよりも長いため、厚さ方向において溝部が設けられた領域内に凸部及び凹部が配置される。吸収性物品にかかる体圧は、溝部以外の領域に重なる凸部及び凹部に掛かり、次いで、溝部に重なって配置された凸部及び凹部にかかる。よって、溝部に重なって配置された凸部及び凹部にかかる体圧を低減し、溝部に重なって配置された凸部及び凹部の形状を維持しやすい。よって、前後方向に空気を通過させ、通気性を向上させる効果をより発揮できる。
【００１８】
かかる吸収性物品であって、
前記凸部及び前記凹部は、前記吸収体の前端縁及び前記吸収体の後端縁を跨って前記前後方向に延びることが望ましい。
【００１９】
このような吸収性物品によれば、吸収体の前端縁よりも前側において当該吸収体の前端縁と隣接する領域は、吸収体の厚み分非肌対向面側に凹んでおり、体圧が掛かり難い。同様に、吸収体の後端縁よりも後側において当該吸収体の後端縁と隣接する領域は、吸収体の厚み分非肌対向面側に凹んでおり、体圧が掛かり難い。当該体圧が掛かり難い領域に配置された凸部及び凹部の形状は、維持され易い。よって、前後方向に空気を通過させ、通気性を向上させる効果をより発揮できる。
【００２０】
かかる吸収性物品であって、
前記吸収体は、前記前後方向に延びる一対の第１折り線及び第２折り線を有し、
前記吸収体は、前記吸収体が折り畳まれた折り畳み状態において、
前記一対の第１折り線の間に位置し、前記吸収体の前記幅方向の中央を含む第１領域と、
前記第１折り線よりも前記幅方向の内側に位置する前記第２折り線と前記第１折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記一対の前記第２折り線は、前記幅方向に離間しており、
前記溝部は、前記第１領域、第２領域及び第３領域が重なった一対の重畳部の間に設けられることが望ましい。
【００２１】
このような吸収性物品によれば、溝部よりも幅方向の外側に、第１領域、第２領域及び第３領域が積層された重畳部が配置される。溝部の非肌対向面側に位置する吸収体は、第１領域のみによって構成されており、重畳部は、第１領域、第２領域及び第３領域が積層されている。重畳部の厚さ方向の長さは、溝部の非肌対向面側に位置する吸収体の厚さ方向の長さよりも長い。溝部よりも幅方向の外側に位置する吸収体の厚さが厚いため、溝部に重なる領域に設けられた凸部及び凹部の形状を更に維持しやすくなり、凸部及び凹部による通気性を更に向上できる。
【００２２】
かかる吸収性物品であって、
前記重畳部の内側縁は、非肌対向面側に向かって延びる壁部を有し、
前記凸部及び前記凹部は、前記壁部を覆う領域に配置されることが望ましい。
【００２３】
このような吸収性物品によれば、壁部は、非肌対向面側に向かって延びており、平面方向に延びる領域と比較して体圧が掛かり難い。当該壁部を覆う領域に配置された凸部及び凹部は、体圧等によって潰れ難く、形状が維持され易い。凸部及び凹部の形状を更に維持し易いことにより、凸部及び凹部による体液の通気性を更に向上できる。
【００２４】
かかる吸収性物品であって、
前記第３領域の外側縁は、前記第１折り線よりも前記幅方向の外側に配置されおり、
前記折り畳み状態において、
前記第１領域の肌対向面と前記第２領域の非肌対向面とが接合された第１接合部と、
前記第２領域の肌対向面と前記第３領域の非肌対向面とが接合されていない第２非接合部と、を有することが望ましい。
【００２５】
このような吸収性物品によれば、吸収性物品は、着用者に装着されると、着用者の両足によって挟まれる。吸収性物品には、幅方向の外側から幅方向の内側に向かう力がかかる。第３領域の外側縁が第１折り線よりも幅方向の外側に位置するため、幅方向の外側から幅方向の内側に向かう力は、第３領域の外側縁にかかる。第３領域は、変形することによって幅方向の外側から幅方向の内側に向かう力を吸収する。よって、第１領域が当該力によって変形することを防ぐことができる。第１領域の肌対向面側に位置する溝部の形状及び溝部内に配置された凸部及び凹部の形状を維持し易くなる。
【００２６】
また、第１領域と第２領域が接合され、第２領域の肌対向面と第３領域の非肌対向面とが接合されていないため、幅方向の外側から幅方向の内側に向かう力がかかった際に、第１領域と接合された第２領域を基点にして左右の第３領域が着用者側に盛り上がるように変形する。溝部よりも幅方向の外側に位置する重畳部の高さが高くなり、溝部の厚さ方向の長さが長くなる。溝部内に配置された凸部及び凹部により体圧が掛かり難くなり、凸部及び凹部による通気性の向上効果を更に発揮できる。
【００２７】
かかる吸収性物品であって、
前記第３領域と前記非肌面シートが接合された第３接合部と、
前記第３接合部よりも前記幅方向の内側かつ前記第１折り線よりも前記幅方向の外側に位置し、前記第３領域と前記非肌面シートが接合されていない第３非接合部と、を有することが望ましい。
【００２８】
このような吸収性物品によれば、第３領域と非肌面シートは、第３接合部によって接合され、かつ第３非接合部によって接合されていない。そのため、幅方向の外側から幅方向の内側に向かう力がかかった際に、第３接合部を基点に第３接合部よりも幅方向の内側の領域が着用者側に盛り上がるように変形する。これにより、重畳部の高さがより高くなり、溝部の厚さ方向の長さが長くなる。溝部内に配置された凸部及び凹部により体圧が掛かり難くなり、凸部及び凹部による通気性の向上効果を更に発揮できる。
【００２９】
かかる吸収性物品であって、
前記第１領域の外側縁から前記幅方向の内側に向かう領域において、前記第１領域と前記非肌面シートが接合されていない第４非接合部を有することが望ましい。
【００３０】
このような吸収性物品によれば、幅方向の外側から幅方向の内側に向かう力がかかり、左右の第３領域が着用者側に盛り上がるように変形する際に、第１領域の外側縁も着用者側に盛り上がるように変形し易くなる。よって、重畳部の高さがより高くなり、溝部の厚さ方向の長さが長くなる。溝部内に配置された凸部及び凹部により体圧が掛かり難くなり、凸部及び凹部による通気性の向上効果を更に発揮できる。
【００３１】
＝＝＝本実施の形態に係る吸収性物品について＝＝＝
次に、本発明に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００３２】
（１）使い捨ておむつの全体概略構成
図１は、本実施形態に係る使い捨ておむつ１０の展開状態の平面図である。図２は、図１に示したＡ−Ａ線に沿った使い捨ておむつ１０の断面図である。図１に示す平面図は、使い捨ておむつを構成するトップシート５０及びサイドシート７０等の皺が形成されない状態まで、レッグ伸縮部７５及び立体ギャザーの弾性部材７７を伸長させた状態の図である。
【００３３】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。
【００３４】
なお、本実施形態では、前胴回り域２０から後胴回り域３０に向かう方向を前後方向Ｌと呼び、前後方向Ｌと直交する方向を幅方向Ｗと呼び、着用者の肌対向面側Ｔ１と、肌対向面側Ｔ１と反対側であり、着用者の非肌対向面側Ｔ２と、を含む方向を厚さ方向Ｔと呼ぶ。
【００３５】
使い捨ておむつ１０は、吸収体４０と、吸収体４０の肌対向面側Ｔ１に配置される肌面シートと、吸収体４０の非肌対向面側Ｔ２に位置する非肌面シートと、を少なくとも有する。吸収体４０は、少なくとも股下域２５に配置される。図６に示すように、吸収体４０は、吸収コア４０ａと、コアラップ４０ｂと、を有する。吸収コア４０ａは、従来の使い捨ておむつと同様の材料によって構成でき、粉砕パルプや高吸収ポリマー（ＳＡＰ）などの吸収材料を含んでおり、公知の部材や材料を用いて適宜構成することができる。
【００３６】
コアラップ４０ｂは、吸収材料である吸収コア４０ａを覆うシートである。コアラップ４０ｂは、透液性を有する各種の繊維不織布もしくはティッシュによって構成される。吸収体４０は、周囲の吸収体よりも非肌対向面側に凹む溝部４６を有する。溝部４６の非肌対向面側に位置する吸収体は、周囲の吸収体よりも坪量が低い部分、周囲の吸収体よりも厚さが薄い部分、周囲の吸収体よりも圧搾された部分等によって構成される。また、溝部４６の吸収材料の秤量は、零であってもよい。目付が吸収体４０については、後述にて詳細に説明する。
【００３７】
肌面シートは、トップシート５０と、サイドシート７０と、を有する。トップシート５０は、不織布や織物などの液透過性のシートによって形成される。トップシート５０は、着用者の肌に当接するシートである。トップシート５０は、凹部及び凸部を有する。トップシートについては、後述にて詳細に説明する。
【００３８】
サイドシート７０は、トップシート５０の外側縁を覆い、トップシート５０よりも幅方向外側に延出する。サイドシート７０の内側縁は、幅方向外側に折り返されており、２層のサイドシート７０間に前後方向に伸縮する弾性部材７７が配置される。サイドシート７０と弾性部材７７とは、立体ギャザーを構成する。立体ギャザーは、前後方向に伸縮する弾性部材７７を有し、かつ使い捨ておむつの幅方向の中心よりも幅方向の両外側に一対で配置される。
【００３９】
非肌面シートは、少なくともバックシート６０ａと外装シート６０を有する。バックシート６０ａは、液不透過性を有し、吸収コア４０ａ及びコアラップ４０ｂの非肌対向面側Ｔ２に配置される。外装シート６０は、バックシート６０ａの非肌対向面側Ｔ２に配置される。
【００４０】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。ターゲット部９５は、一対のファスニングテープ９０がそれぞれ止着するように構成されている。吸収体４０の幅方向の外側には、脚回り開口部３５の周囲に形成され、前後方向Ｌに伸縮可能なレッグ伸縮部７５が備えられる。
【００４１】
このように構成された吸収性物品の製造方法は、特に限定されない。しかし、吸収体４０の溝部４６に重なる領域に配置されるトップシート５０は、吸収体４０の溝部４６が形成された後に、吸収体４０上に配置されることが好ましい。吸収体４０上にトップシートが配置された状態で、吸収体４０及びトップシート５０をエンボス加工等して溝部４６を形成する製造方法と比較して、トップシート５０の凹部及び凸部の形状を維持することができる。
【００４２】
（２）トップシートの構成
次いで、図３及び図４に基づいて、トップシート５０の構成について詳細に説明する。図３は、図２のＢ部分を模式的に示した拡大断面図である。図４は、トップシート５０及び吸収体４０を模式的に示した斜視図である。トップシート５０は、凹部５１と凸部５２を有する。なお、図１に示す平面図においては、凸部５２及び凹部５１を省略して示している。凹部５１は、凸部５２よりも非肌対向面側に凹んでいる。凹部５１の厚さＴ５１は、凸部５２の厚さＴ５２よりも薄い。凸部５２は、使い捨ておむつの厚さ方向に突出し、凹部５１は、厚さ方向に窪んでいる。トップシート５０の厚さ方向Ｔの中心５０ＣＬよりも肌対向面側Ｔ１に位置する部分は、凸部５２を構成し、トップシート５０の厚さ方向の中心５０ＣＬよりも非肌対向面側Ｔ２に位置する部分は、凹部５１を構成する。トップシート５０に凸部５２及び凹部５１が設けられているため、着用者から排出された体液を前後方向に拡散すると共に、使い捨ておむつと着用者の間の空気を前後方向に通過させ易くなる。よって、通気性が向上する。
【００４３】
凹部５１の密度は、凸部５２の密度よりも高い。このような構成によれば、凸部５２と凹部５１に密度差が発生する。体液は、密度が低い領域から密度が高い領域に引き込まれ、密度差が大きいほど、体液が引き込まれ易くなる。密度差によって体液が凸部５２から凹部５１へ素早く移行する。そのため、肌対向面側に位置する凸部５２によって引き込んだ体液を、凹部５１によって体液を引き込み易くなる。トップシート上に残る体液を迅速に引き込むことができ、肌に触れる部分の湿りを低減し、装着感を向上できる。また、通気性を向上させることにより、蒸れによる肌トラブルを抑制できる。
【００４４】
凸部５２において非肌対向面側に位置する底部５２２の繊維の密度は、凸部５２において肌対向面側に位置する頂部５２１の繊維の密度よりも高い。凸部５２内においても肌対向面側Ｔ１から非肌対向面側Ｔ２に体液を導きやすくなり、体液の引き込み性を更に高めることができる。凸部５２においてトップシート５０の厚さ方向Ｔの中心５０ＣＬよりも肌対向面側Ｔ１に位置する部分は、頂部５２１を構成し、凸部５２においてトップシート５０の厚さ方向Ｔの中心５０ＣＬよりも非肌対向面側Ｔ２に位置する部分は、底部５２２を構成する。凸部５２の頂部５２１に引き込まれた体液は、凸部５２の底部５２２に移行し、更に凸部５２の底部５２２から凹部５１に移行する。トップシート５０の厚さ方向Ｔと平面方向の両方において体液を拡散でき、肌に付着する体液を迅速に引き込むことができる。肌に触れる部分の湿りを低減し、装着感を向上できる。
【００４５】
凹部５１及び凸部５２は、それぞれ前後方向Ｌに延びている。凹部５１は、幅方向Ｗに間隔を空けて配置され、凸部５２は、幅方向Ｗに間隔を空けて配置されている。凹部５１と凸部５２は、幅方向Ｗにおいて交互に配置される。トップシート５０は、凸部５２からなる畝と凹部からなる溝を有する畝溝構造である。なお、本実施の形態において「前後方向に沿って延びる」とは、少なくとも前後方向に一定の範囲を有する構成であればよく、前後方向に対して傾斜しつつ前後方向に延びる構成も含むものである。凸部５２及び凹部５１が前後方向に延びていることにより、凸部５２及び凹部５１に沿って空気を前後方向に通過させ、体液が多く排出される股下域の蒸れを低減できる。また、凸部５２及び凹部５１に沿って体液を前後方向に拡散し、吸収体の前後方向全体で体液を吸収できる。体液を吸収する吸収体の面積が広くなり、体液をより迅速に引き込み、肌に触れる部分の湿りを低減し、装着感を向上できる。
【００４６】
凸部５２及び凹部５１は、トップシート５０の全面に設けられている。本実施の形態における凸部５２の前端縁及び凹部５１の前端縁は、トップシート５０の前端縁及び使い捨ておむつの前端縁に一致し、吸収体４０の前端縁よりも前方に位置する。本実施の形態における凸部５２の後端縁及び凹部５１の後端縁は、トップシート５０の後端縁及び使い捨ておむつの後端縁に一致し、吸収体４０の後端縁よりも後方に位置する。
【００４７】
なお、凸部５２の厚さ（厚さ方向の長さ）および凹部５１の厚さは以下のようにして測定できる。ここで、凸部５２の厚さとは凸部５２の頂部における厚さであり、凹部５１の厚さとは凹部５１の最も深い部分の厚さである。
（i）カッターナイフ（コクヨ製、ＨＡ−１００Ｂ、ＨＡ−ＮＢ用の標準替え刃）を使用して、厚さ測定用の繊維不織布片を幅方向に平行に裁断し、その繊維不織布片に幅方向に平行する観測用切断面を作る。その後に、その繊維不織布片の表面を水平面の上に載せ、キーエンスデジタルマイクロスコープＶＨＸ−１００を用いて観測用断面の２５倍の写真を得る。
（ii）断面写真を画像処理ソフトであるスカラ（株）製画像解析ソフトＵＳＢデジタルで処理して、画像を二値化する。そのときに、閾値＝５０に設定する。二値化した画像について二値画像形状解析の演算方法「穴埋め」を選択し、次に対象色「白」を選択して処理する。さらに二値画像形状解析の演算方法「穴埋め」を選択し、次に対象色「黒」を選択して処理する。処理の終わった画像では、ステープル繊維の集団である白島部からその外へ飛び出して毛羽状を呈しているステープル繊維を消して、毛羽立ちのない幅方向断面の修正写真を得る。
（iii）修正写真において、凸条部の頂点とサンプルを設置している水平面との中間点を、シートの厚さ方向の中心とする。当該中間点よりも凸条部の頂点側に位置する部分を凸部５２とし、当該中間点よりも水平面側に位置する部分を凹部５１とする。
（iv）修正写真において、凸条部の頂点からサンプルを設置している水平面に対しての距離を凸部５２の厚さとする。
（v）水平面に直交して、凹条部の底部の点から、サンプルを設置している水平面に対しての距離を凹部５１の厚さとする。
【００４８】
また、シートの繊維の密度及び坪量は、例えば、以下の測定方法によって測定することができる。密度を測定するシートの面積及び重量を測定し、重量と、面積と、厚さと、に基づいて密度を算出する。また、凸部５２の密度と凹部５１の密度は、シートの凸部５２のみを切り出すと共に凹部５１のみを切り出し、当該切り出した部分を用いて測定できる。
【００４９】
（３）吸収体の構成
次いで、吸収体４０の構成について詳細に説明する。吸収体４０は、図５及び図６に示すように、展開状態において１枚のシート状である。吸収体４０は、前後方向に延びる一対の第１折り線ＦＬ１と、前後方向に延びる一対の第２折り線ＦＬ２と、を有する。一対の第１折り線ＦＬ１及び一対の第２折り線ＦＬ２は、吸収体を折り畳むための折り線であり、吸収体を折り畳んだ状態で形成される。吸収体４０は、一対の第１折り線ＦＬ１と一対の第２折り線ＦＬ２とによって４か所で折られており、複数層に積層されている。一対の第１折り線ＦＬ１同士、一対の第２折り線ＦＬ２同士、及び第１折り線ＦＬ１と第２折り線ＦＬ２は、それぞれ幅方向において離間している。図５に示すように、吸収体４０の展開状態（第１折り線ＦＬ１及び第２折り線ＦＬ２によって折り畳まれていない状態）において、第２折り線ＦＬ２は、第１折り線ＦＬ１よりも幅方向の外側に位置する。図２に示すように、吸収体の折り畳み状態（第１折り線ＦＬ１及び第２折り線ＦＬ２によって折り畳まれた状態）において、第２折り線ＦＬ２は、第１折り線ＦＬ１よりも幅方向の内側に位置する。
【００５０】
吸収体４０は、折り畳み状態において、一対の第１折り線ＦＬ１の間に位置する第１領域４０１と、第１折り線ＦＬ１と第２折り線ＦＬ２との間に位置する一対の第２領域４０２と、第２折り線ＦＬ２よりも幅方向の外側に位置する一対の第３領域４０３と、を有する。図５及び図６に示す展開状態において、第１領域４０１は、吸収体４０の幅方向Ｗの中央を含み、一対の第１折り線ＦＬ１の間の領域である。第２領域４０２は、展開状態において第１領域４０１を挟んで両側に位置し、第１折り線ＦＬ１と第２折り線ＦＬ２の間の領域である。第３領域４０３は、展開状態において第１領域４０１及び一対の第２領域４０２を挟んで両側に位置し、第２折り線ＦＬ２よりも幅方向外側の間の領域である。第１領域４０１、第２領域４０２、及び第３領域４０３は、幅方向Ｗにおいて連続している。第１領域４０１、第２領域４０２、第３領域４０３は、連続する１枚のコアラップ４０ｂによって覆われている。コアラップ４０ｂは、第１領域４０１、第２領域４０２及び第３領域４０３を跨っている。
【００５１】
吸収体４０は、第１折り線ＦＬ１によって着用者に対して谷折りされ、かつ第２折り線ＦＬ２によって着用者に対して山折りされる。吸収体４０が折り畳まれた折り畳み状態で、第１領域４０１の肌対向面側Ｔ１に第２領域４０２が配置され、第２領域４０２の肌対向面側Ｔ１に第３領域４０３が配置されている。第３領域４０３は、少なくとも一部が第２領域４０２の肌対向面側Ｔ１に配置されていればよい。吸収体４０は、第１折り線ＦＬ１及び第２折り線ＦＬ２によって折り畳まれるため、幅方向の寸法がコンパクトになる。
【００５２】
折り畳み状態で一対の第２折り線ＦＬ２は、幅方向Ｗにおいて離間している。第１折り線ＦＬ１と第２折り線ＦＬ２の間は、第１領域４０１、第２領域４０２、及び第３領域４０３が配置される重畳部４５を構成する。重畳部４５は、第１領域４０１、第２領域４０２及び第３領域４０３が積層された部分であり、第１折り線ＦＬ１と第２折り線ＦＬ２の間の部分である。一対の第２折り線ＦＬ２の間には、第１領域４０１のみが配置される。一対の第２折り線ＦＬ２の間は、吸収体４０の厚さが比較的薄く、一対の第２折り線ＦＬ２よりも幅方向の外側の領域と比較して非肌対向面側Ｔ２に凹んでいる。
【００５３】
一対の重畳部４５の間に位置し、重畳部４５よりも凹んだ部分は、溝部４６を構成する。溝部４６は、吸収体４０の幅方向Ｗの中央に位置し、かつ周囲の吸収体（溝部４６に隣接する重畳部４５）よりも非肌対向面側に凹んだ部分である。溝部４６は、一対の重畳部４５の間に設けられている。溝部４６の非肌対向面側に位置する吸収体４０は、第１領域４０１のみによって構成されており、重畳部４５は、第１領域４０１、第２領域４０２及び第３領域４０３によって構成されている。そのため、溝部４６の厚さ方向の長さ（深さ）Ｄ１は、周囲の吸収体（溝部４６に隣接する重畳部４５）の厚さ方向の長さよりも短い。吸収体４０の幅方向Ｗの中央が非肌対向面側Ｔ２に凹んでいるため、着用者と吸収体の間に前後方向に延びる空間を形成できる。当該空間によって体液を前後方向に拡散することができ、吸収体の前後方向の全域にわたって吸収性能を有効活用し易くなる。また、溝部４６よりも幅方向の外側に位置する吸収体４０（重畳部４５）の厚さが厚いため、溝部４６に重なる領域に設けられた凸部５２及び凹部５１の形状を更に維持しやすくなり、凸部５２及び凹部５１による通気性を更に向上できる。加えて、吸収体を折り畳むことによって溝部４６を形成しているため、１層の吸収体の目付等を異ならせて溝部を形成する構成と比較して、溝部とその周囲との秤量の差や厚み差が顕著になり易く、溝部の深さを際立て易くなる。
【００５４】
また、トップシートに設けられた凸部５２及び凹部５１は、溝部４６と重なる領域に配置されている。凸部５２及び凹部５１は、溝部４６と重なる一部の領域に設けられていればよく、溝部４６と重なる領域全体に重なっていなくてよい。本実施の形態の凸部５２及び凹部５１は、吸収体４０の肌対向面全体を覆うように配置されている。
【００５５】
トップシート５０の凸部５２及び凹部５１は、溝部４６の前端縁から溝部４６の後端縁まで連続的に重なっている。本実施の形態の溝部４６の前端縁は、吸収体の前端縁に一致し、溝部の後端縁は、吸収体の後端縁に一致する。凸部５２及び凹部５１が溝部４６の前端縁から溝部４６の後端縁まで連続的に重なっているため、吸収体４０の前端縁から吸収体４０の後端縁まで連続的に延びる空間において凸部５２及び凹部５１に沿って連続的に空気を拡散できる。吸収体と着用者の間の空気を、吸収体４０よりも前後方向外側に導き易くなり、通気性をより向上できる。
【００５６】
トップシート５０の凸部５２及び凹部５１は、吸収体４０の前端縁及び吸収体の後端縁を跨って前後方向に延びている。吸収体４０の前端縁よりも前側において当該吸収体の前端縁と隣接する領域は、吸収体の厚み分非肌対向面側Ｔ２に凹んでおり、体圧が掛かり難い。同様に、吸収体４０の後端縁よりも後側において当該吸収体４０の後端縁と隣接する領域は、吸収体４０の厚み分非肌対向面側に凹んでおり、体圧が掛かり難い。当該体圧が掛かり難い領域に配置された凸部５２及び凹部５１の形状は、維持され易い。よって、前後方向に空気を通過させ、通気性を向上させる効果をより発揮できる。
【００５７】
溝部４６の厚さ方向Ｔの長さ（深さ）は、凸部５２の厚さ方向Ｔの長さよりも長い。溝部４６の厚さ方向の長さが凸部５２の厚さ方向の長さよりも長いため、厚さ方向において溝部４６が設けられた領域内に凸部５２及び凹部５１が配置される。使い捨ておむつ１０にかかる体圧は、溝部４６以外の領域に重なる凸部５２及び凹部５１に掛かり、次いで、溝部４６に重なって配置された凸部５２及び凹部５１にかかる。よって、溝部４６に重なって配置された凸部５２及び凹部５１にかかる体圧を低減し、溝部４６に重なって配置された凸部５２及び凹部５１の形状を維持しやすい。よって、前後方向に空気を通過させ、通気性を向上させる効果をより発揮できる。吸収体が配置された領域における空気を吸収体よりも前後方向外側に導くことにより、吸収体によって吸収した体液による蒸れを効果的に低減できる。
【００５８】
図７は、図２に示す断面におけるトップシート５０及び吸収体４０を模式的に示した図である。図７（ａ）は、着用前の状態を示しており、図７（ｂ）は、着用後の状態を示している。着用前の状態では、吸収体の肌対向面に沿ってトップシート５０が配置されており、トップシートの凸部５２及び凹部５１は、図７（ａ）に示すように、吸収体の全面に亘って略均一な厚さで配置されている。具体的には、着用者の体圧がかかる前の状態において、溝部４６に重なる領域の凸部５２の厚さＬ１は、重畳部４５に重なる凸部５２の厚さＬ２と同じ厚さである。
【００５９】
着用者の体圧が使い捨ておむつに掛かると、図７（ｂ）に示すように、肌対向面側Ｔ１から非肌対向面側Ｔ２に向かって使い捨ておむつ１０が押圧される。図示する二点鎖線は、着用者の身体のラインを示す。このとき、吸収体の幅方向の中央に位置する溝部４６が非肌対向面側に凹んでいるため、溝部４６と重なる領域のトップシート５０は、溝部４６の周囲と重なるトップシート５０と比べて、体圧を受け難い。よって、溝部４６と重なる領域に配置されたトップシート５０の凸部５２及び凹部５１は、潰れ難く、その形状を維持し易くなる。着用者の体圧がかかった状態において、重畳部４５に重なる凸部５２の厚さＬ４は、溝部４６に重なる領域の凸部５２の厚さＬ３よりも薄くなる。溝部４６に重なる領域に設けられた凸部５２及び凹部５１の形状を更に維持し易いため、溝部４６と重なる領域に配置された凸部５２及び凹部５１を介して空気を拡散し、装着性を向上できる。
【００６０】
溝部４６よりも幅方向の外側に、第１領域４０１、第２領域４０２及び第３領域４０３が積層された重畳部４５が配置される。重畳部４５（溝部に隣接する吸収体）の吸収材料の坪量は、溝部４６の吸収材料の坪量よりも高い。よって、溝部４６に重なる領域に設けられた凸部５２及び凹部５１を介して溝部４６に引き込んだ体液を、比較的坪量が高い重畳部４５によって吸収し、体液の引き込み性を更に向上できる。
【００６１】
溝部４６は、前後方向に延びており、吸収体４０の前端縁から後端縁まで連続して設けられている。吸収体の溝部４６が前後方向に延びているため、吸収体の前後方向に延びる一定領域において、トップシートの凸部５２及び凹部５１を維持でき、通気性を向上できる。また、溝部４６、凸部５２、及び凹部５１は、いずれも前後方向に延びているため、溝部４６の凹みに沿って凸部５２及び凹部５１が配置され、よりその形状を維持し易くなる。
【００６２】
重畳部４５の内側縁は、非肌対向面側に向かって延びる壁部４７を有する。当該壁部４７は、溝部４６の外側縁を構成する。凸部５２及び凹部５１は、壁部４７を覆う領域に配置される。壁部４７は、非肌対向面側Ｔ２に向かって延びており、平面方向に延びる領域と比較して体圧が掛かり難い。当該壁部４７を覆う領域に配置された凸部５２及び凹部５１は、体圧等によって潰れ難く、形状が維持され易い。凸部５２及び凹部５１の形状を更に維持し易いことにより、凸部５２及び凹部５１による通気性を更に向上できる。
【００６３】
図８は、使い捨ておむつの着用状態を模式的に示した断面図である。使い捨ておむつ１０は、着用者に装着されると、着用者の両足によって挟まれる。使い捨ておむつは、着用者の脚によって挟まれ、幅方向Ｗの外側から幅方向Ｗの内側に向かう力がかかる。第１折り線ＦＬ１よりも幅方向の外側には、第３領域４０３のみが配置されるため、幅方向Ｗの外側から幅方向Ｗの内側に向かう力は、第３領域４０３の外側縁４０３Ｅに掛かる。第３領域４０３は、変形することによって幅方向の外側から幅方向の内側に向かう力を吸収する。よって、第１領域４０１が当該力によって変形することを防ぐことができ、溝部４６の幅を確保することができる。また、第１領域４０１が当該力によって変形することを防ぐことにより、第１領域４０１の肌対向面側に位置する溝部４６の形状及び溝部４６に重なる領域に配置された凸部５２及び凹部５１の形状を維持し易くなる。
【００６４】
また、第３領域４０３が着用者側に盛り上がるように変形すると、溝部４６を挟んで両側に位置する第３領域４０３による壁は、高くなる。第３領域４０３による壁が高くなることにより、溝部４６の凹んだ部分の深さが深くなる。溝部４６に重なる領域に配置される凸部５２及び凹部５１は、体圧をより直接受け難くなり、その形状が維持され易く、通気性をより向上できる。
【００６５】
第２領域４０２の吸収材料の坪量は、第１領域４０１の吸収材料の坪量よりも低く、第３領域４０３の吸収材料の坪量よりも低い。具体的には、第１領域４０１は、パルプとＳＡＰを有し、第２領域４０２は、実質的に吸収材料を有しない。第２領域４０２は、設計上のＳＡＰ等の吸収材料の坪量が零であるが、製造工程において第１領域等から混入したＳＡＰやパルプを有していてもよい。第１領域４０１のパルプの坪量及び第３領域４０３のパルプの坪量は、第２領域４０２のパルプの坪量よりも高い。また、第２領域４０２は、第１領域４０１等よりも低い坪量のパルプを含んでいてもよいし、パルプ及びＳＡＰの両方を含まずにコアラップ４０ｂのみで構成されていてもよく、比較的坪量が低く構成されていることにより、第２領域４０２を介して第１領域４０１に体液を円滑に導くことができる。
【００６６】
第２領域４０２のパルプの坪量よりも第１領域４０１のパルプの坪量が高いため、重畳部において第２領域４０２から第１領域４０１に体液が移行し易くなり、非肌対向面側Ｔ２に位置する第１領域４０１に体液を導き易くなる。第１折り線ＦＬ１及び第２折り線ＦＬ２には、パルプの坪量の違いによる剛性差が形成される。よって、第１折り線ＦＬ１及び第２折り線ＦＬ２を基点に吸収体４０をより折り畳み易くなる。
【００６７】
第２領域４０２の厚さは、第１領域４０１の厚さよりも薄く、第３領域４０３の厚さよりも薄い。第１折り線ＦＬ１及び第２折り線ＦＬ２は、吸収体４０の厚さ及び坪量が変化する境界であり、剛性が変化する境界となる。よって、第１折り線ＦＬ１及び第２折り線ＦＬ２を基点に吸収体４０を折り畳み易い。
【００６８】
（４）吸収体同士の接合態様及び吸収体と非肌面シートの接合態様
次いで、吸収体同士の接合態様及び吸収体と非肌面シートの接合態様について説明する。図２に示すように、使い捨ておむつ１０には、吸収体４０が折り畳まれた折り畳み状態において、第１接合部Ｒ１と、第２非接合部ＮＲ２と、第３接合部Ｒ３と、第３非接合部ＮＲ３と、が設けられている。各接合部は、ホットメルト型接着剤等の接着剤が配置された領域である。第１接合部Ｒ１、第２非接合部ＮＲ２、第３接合部Ｒ３、及び第３非接合部ＮＲ３を有することにより、着用時の使い捨ておむつ１０の意図しない変形を抑制し、排泄物の漏れを抑制できる。また、図示しないが、第１領域の非肌対向面と非肌面シートは、接合されている。
【００６９】
第１接合部Ｒ１は、第１領域４０１の肌対向面と第２領域４０２の非肌対向面とが接合された部分である。第１接合部Ｒ１は、第１領域４０１の肌対向面と第２領域４０２の非肌対向面とが対向した全面に設けられていてもよいし、当該対向した面の一部に設けられていてもよい。第１接合部Ｒ１が設けられていることにより、使い捨ておむつ１０に対して幅方向の外側から幅方向の内側に向かって力がかかった際に、第１領域４０１と第２領域４０２の位置がずれることを抑制し、第１折り線ＦＬ１による折り構造が維持され易い。よって、第１領域４０１の意図しない変形及び吸収体全体が幅入りすることを防ぐことができ、溝部４６の幅を確保することができる。
【００７０】
第２非接合部ＮＲ２は、第２領域４０２の肌対向面と第３領域４０３の非肌対向面とが接合されていない部分である。第２非接合部ＮＲ２は、少なくとも股下域２５において第２領域４０２の肌対向面と第３領域４０３の非肌対向面とが対向した全面に設けられている。第２非接合部ＮＲ２は、使い捨ておむつ１０の前後方向の中心を跨ぎ、かつ股下域２５において前後方向に延びる。股下域２５において第２領域４０２の肌対向面と第３領域４０３の非肌対向面とが接合されていないため、幅方向の外側から幅方向の内側に向かう力がかかった際に、第１領域４０１と接合された第２領域４０２を基点にして左右の第３領域４０３が着用者側に盛り上がるように変形する。よって、溝部４６の深さは、より深くなる。溝部４６に重なる領域に配置される凸部５２及び凹部５１は、体圧をより直接受け難くなり、その形状が維持され易く、凸部及び凹部による通気性の向上効果を更に発揮できる。
【００７１】
第３接合部Ｒ３は、第３領域４０３と非肌面シートが接合された部分である。より詳細には、第３接合部Ｒ３において、第３領域４０３の非肌対面と非肌面シートとしてのバックシート６０ａの肌対向面とが接合されている。第３領域４０３の前後方向Ｌの範囲は、吸収体４０の前後方向Ｌの全域である。第３接合部Ｒ３の幅方向Ｗの範囲は、第３領域４０３の外側縁から幅方向Ｗの内側に延びる一定の範囲である。第３接合部Ｒ３は、第１折り線ＦＬ１よりも幅方向Ｗの外側に位置し、第１折り線ＦＬ１と離間している。第３接合部Ｒ３よりも幅方向Ｗの内側には、第３非接合部ＮＲ３が設けられている。第３非接合部ＮＲ３は、第３領域４０３と非肌面シートが接合されていない部分である。第３非接合部ＮＲ３は、使い捨ておむつ１０の前後方向の中心を跨ぎ、かつ股下域２５において前後方向Ｌに延びる。第３非接合部ＮＲ３は、第３接合部Ｒ３よりも幅方向Ｗの内側かつ第１折り線ＦＬ１よりも幅方向Ｗの外側である。第１折り線ＦＬ１よりも幅方向の内側の領域では、第１領域４０１とバックシート６０ａは、接合されている。
【００７２】
第３領域４０３とバックシート６０ａは、第３接合部Ｒ３によって接合され、かつ第３非接合部ＮＲ３によって接合されていない。そのため、幅方向Ｗの外側から幅方向Ｗの内側に向かう力がかかった際に、第３接合部Ｒ３を基点にして第３非接合部ＮＲ３に接する吸収体４０が着用者側に盛り上がるように変形し、第３領域４０３、バックシート６０ａ、及び第１領域４０１によって囲まれた空間Ｓ１を少なくとも股下域２５に設けることができる（図８参照）。当該空間Ｓ１によって前後方向Ｌに湿気を拡散でき、肌に触れる部分の湿りを低減し、装着感を向上できる。また、第３領域４０３による壁が高くなることにより、溝部４６の凹んだ部分の深さが深くなる。溝部４６に重なる領域に配置される凸部５２及び凹部５１は、体圧をより直接受け難くなり、その形状が維持され易く、通気性をより向上できる。
【００７３】
（５）変形例に係る吸収性物品
次いで、図９〜図１０に基づいて変形例に係る吸収性物品について説明する。なお、変形例の説明において実施形態と同様の構成については同符号を用いて説明を省略する。図９は、変形例１に係る使い捨ておむつ１０Ａの幅方向に沿った断面の断面図である。図９は、図１に示すＡ−Ａ線に沿った断面を基準とした図である、変形例１に係る使い捨ておむつ１０Ａは、吸収体４０の第１領域４０１の幅方向の中央の領域において、第１領域４０１と非肌面シートとしてのバックシート６０ａが接合された第４接合部Ｒ４と、第１領域４０１の外側縁から幅方向Ｗの内側に向かう領域において、第１領域４０１と非肌面シートとしてのバックシート６０ａが接合されていない第４非接合部ＮＲ４と、を有する。第１領域４０１の幅方向の中央の領域では、第１領域４０１と非肌面シートは、第４接合部Ｒ４において接合されている。第１領域４０１の外側縁から第４接合部Ｒ４の外側縁までの領域では、第４非接合部ＮＲ４において接合されていない。
【００７４】
変形例１に係る使い捨ておむつ１０Ａによれば、幅方向Ｗの外側から幅方向の内側に向かう力がかかり、左右の第３領域４０３が着用者側に盛り上がるように変形する際に、第１領域４０１の外側縁も着用者側に盛り上がるように変形し易くなる。よって、第３領域４０３、非肌面シート、及び第２領域４０２によって囲まれた空間Ｓ１をより広く形成できる。当該空間Ｓ１によって湿気を前後方向に拡散でき、装着感を向上できる。また、変形例１に係る使い捨ておむつ１０Ａによれば、幅方向の外側から幅方向の内側に向かう力がかかり、左右の第３領域が着用者側に盛り上がるように変形する際に、第１領域の外側縁も着用者側に盛り上がるように変形し易くなる。よって、重畳部の高さがより高くなり、溝部の厚さ方向の長さが長くなる。溝部内に配置された凸部及び凹部により体圧が掛かり難くなり、凸部及び凹部による通気性の向上効果を更に発揮できる。
【００７５】
図１０は、変形例２に係る吸収性物品のトップシートを示している。変形例１に係るトップシート５０Ａの凸部５２Ａ及び凹部５１Ａは、実施の形態の凸部５２及び凹部５１と異なる。変形例２に係るトップシート５０Ａは、エンボス加工による熱圧着処理が施されており、全面に亘って多数の溶着部が形成されている。溶着部では、複合繊維が互いに熱融着し、フィルム化している。溶着部は、厚さ方向に凹んでおり、凹部５１Ａを構成する。このように構成された変形例２に係るトップシート５０Ａによっても、凸部５２Ａ及び凹部５１Ａによって通気性を向上させ、蒸れを抑制し、肌に触れる部分の湿りを低減し、装着感を向上できる。また、通気性を向上させることにより、蒸れによる肌トラブルを抑制できる。
【００７６】
また、凸部５２Ａは、圧搾の程度が低い状態又は圧搾されていない状態である。凹部５１Ａは、凸部５２Ａよりも圧搾の程度が強いため、凹部５１Ａの剛性は、凸部５２Ａの剛性よりも高い。変形例２に係るトップシート５０Ａは、ウエスト伸縮性部材等、幅方向に伸縮する弾性部材によってトップシート５０が幅方向に収縮すると、凹部の幅方向の長さを確保しつつ、凸部の厚さ方向の長さを長くすることができる。図１０（ｂ）は、トップシート５０Ａが幅方向Ｗに収縮する前の状態、換言すると伸長状態を示しており、図１０（ｃ）は、トップシート５０Ａが幅方向Ｗに収縮した後の状態、換言すると自然状態を示している。
【００７７】
トップシート５０Ａが幅方向Ｗに収縮する前の状態において、凸部５２Ａと凸部５２Ａは、幅方向Ｗにおいて間隔Ｔ３を空けて配置されており、凸部５２Ａの厚みＬ５は、凹部５１Ａの厚みＬ６より厚い。トップシート５０Ａが幅方向Ｗに収縮した後の状態において、凸部５２Ａと凸部５２Ａは、幅方向Ｗにおいて間隔Ｔ３を空けて配置されている。凸部５２Ａと凸部５２Ａの間の凹部５１Ａは、剛性が高く、変形し難い。そのため、幅方向の収縮力よりも凹部の剛性が高い場合には、凸部５２Ａと凸部５２Ａとの間隔Ｔ３は、変形前と変形後において同じになるとともに、凹部５１Ａの厚みＬ６は、変形前と変形後において同じになる。一方、凸部５２Ａは、剛性が低く、変形し易い。そのため、幅方向の収縮力よりも凸部の剛性が低い場合には、凸部の幅方向に収縮する。変形後の凸部の厚みＬ７は、変形前の凸部の厚みＬ５よりも厚くなる。また、変形後の凸部の幅方向の長さＷ２は、変形前の凸部の幅方向の長さＷ１よりも長くなる。
【００７８】
変形例２に係るトップシート５０Ａを有する吸収性物品によれば、凸部及び凹部が延びる方向に対して直交する方向に沿ってトップシート５０が収縮した際に、凹部の直交方向における長さを確保しつつ、凸部の厚さ（凹部の深さ）を厚くすることができる。よって、凸部及び凹部に沿って拡散する空気の流量を増やし、通気性の向上効果を高めることができる。
【００７９】
他の変形例にとして、吸収体４０は、折り畳まれてなくてよい。吸収体の溝部４６は、周囲よりも坪量又は厚さが薄くなるように吸収材料が積層されることによって形成されてもよい。また、吸収体は、複数の吸収層が積層されていてよい。吸収体の溝部は、周囲の吸収体よりも吸収層の層数が少ない部分であってよい。
【００８０】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００８１】
１０、１０Ａ    ：使い捨ておむつ（吸収性物品）
２０            ：前胴回り域
２５            ：股下域
３０            ：後胴回り域
４０            ：吸収体
４０ａ          ：吸収コア
４０ｂ          ：コアラップ
４５            ：重畳部
４６            ：溝部
４０１          ：第１領域
４０２          ：第２領域
４０３          ：第３領域
５０            ：トップシート
５１            ：凹部
５２            ：凸部
Ｌ              ：前後方向
Ｔ              ：厚さ方向
Ｗ              ：幅方向
ＦＬ１          ：第１折り線
ＦＬ２          ：第２折り線
Ｒ１            ：第１接合部
ＮＲ２          ：第２非接合部
Ｒ３            ：第３接合部
ＮＲ３          ：第３非接合部
【図１】
0006424185.tif 000002
【図２】
0006424185.tif 000003
【図３】
0006424185.tif 000004
【図４】
0006424185.tif 000005
【図５】
0006424185.tif 000006
【図６】
0006424185.tif 000007
【図７】
0006424185.tif 000008
【図８】
0006424185.tif 000009
【図９】
0006424185.tif 000010
【図１０】
0006424185.tif 000011